(57)【要約】      （修正有）【課題】Ｉ型の断面を有する木質梁の端部を、梁のウエブからせん断力が他の構造物に対して有効に伝達される接合構造を提供する。【解決手段】上フランジ１１と、下フランジ１２と、これらを上下に連結するウエブ１３とを有する木質梁１のウエブの両側面に鋼からなる添設板３ａ，３ｂを固定し、この添設板を他の構造部材である梁２に接合し、ウエブ１３の両側面に固定された添設板の一方３ａは、ウエブに当接される部分に貫通孔が分布するように配列して設けられ、添設板の他方３ｂには貫通孔が設けられておらず、貫通孔からドリリング機能とタッピング機能とを有するネジ３０を差し入れ、ウエブ１３及び他方の添設板３ｂに貫通させて双方の添設板でウエブを挟み込むように締め付けて添設板をウエブに固定する。【選択図】図２
2015168963.tif 000002
【特許請求の範囲】
【請求項１】
上フランジと、下フランジと、これらを上下に連結するウエブとを有する木質梁を、他の構造部材に接合する木質梁の接合構造であって、
前記ウエブの両側面に鋼からなる添設板が固定され、
該添設板が前記他の構造部材に接合されており、
前記ウエブの両側に固定された添設板の一方は、複数の貫通孔が設けられ、
ドリリング機能とタッピング機能とを有するネジが、前記貫通孔を通して前記ウエブ及び前記添設板の他方にねじ込まれ、貫通して双方の前記添設板が前記ウエブを挟み込むように固定されていることを特徴とする木質梁の接合構造
【請求項２】
前記添設板は、上縁及び下縁に沿って水平方向に張り出し部を備え、該張り出し部が前記上フランジ及び下フランジに当接されていることを特徴とする請求項１に記載の木質梁の接合構造。
【請求項３】
前記ウエブは、所定幅の板材を前記木質梁の軸線方向に傾斜させ、該木質梁の軸線方向に所定の間隔を開けて複数を配列した第１群の板材と、該第１群の板材と同じ幅の板材を前記第１群の板材と反対方向に傾斜させ、該木質梁の軸線方向に所定の間隔を開けて複数を配列した第２群の板材とを、互いに重ね合わせるように接合して形成されており、
前記ネジは、前記第１群に含まれる板材と前記第２群に含まれる板材とが互いに重ね合わされた部分で双方の添接板及び前記ウエブを貫通するものであることを特徴とする請求項１又は請求項２に記載の木質梁の接合構造。
【請求項４】
前記添設板は、前記他の構造部材と接合される側の端縁より該木質梁の中央部側に、鉛直方向の折り曲げ線によって折り曲げられて前記ウエブの側方に張り出すように設けられた鉛直リブを有することを特徴とする請求項１から請求項３までのいずれかに記載の木質梁の接合構造。
【請求項５】
前記添設板は、該ウエブの端縁より前記木質梁の軸線方向に張り出しており、
張り出した部分が、前記他の構造部材であって木質材料からなる上下のフランジとウエブとを有する被接合梁の側面に沿った方向に折り曲げられ、
該添設板の折り曲げた部分にも貫通孔が設けられ、
前記被接合梁の木質材料からなるウエブの側面に前記添設板の折り曲げた部分が当接され、
該被接合梁の前記ウエブの背面側に鋼板材を当接し、ドリリング機能及びタッピング機能を有するネジを、前記貫通孔から前記被接合梁のウエブ及び前記鋼板材にねじ込んで、前記添設板が前記被接合梁に固定されていることを特徴とする請求項１から請求項４までのいずれかに記載の木質梁の接合構造。
【発明の詳細な説明】
【技術分野】
【０００１】
本発明は、木造の建築物等における梁の接合構造に係り、特に上下のフランジとウエブとで構成されたＩ型の断面を有する木質梁の接合構造に関するものである。
【背景技術】
【０００２】
木材からなる梁の端部を他の梁又は柱と接合する構造として、例えば特許文献１に記載されているものがある。この接合構造では、梁が接合される他の梁又は柱に梁受け金物が固定され、この梁受け金物で接合しようとする梁の端部を支持する。上記梁受け金物は、接合しようとする梁に向かって突き出した鉛直板部を備えている。そして、接合しようとする梁に設けられたスリットに上記梁受け金物の鉛直板部が挿入され、梁の側面から該梁及び上記鉛直板部に設けられた貫通孔にピン又はボルトを挿通して梁を他の梁又は柱に接合するものとなっている。
【０００３】
一方、図１３に示すような梁受け金物１０１を使用する接合構造も広く知られている。この梁受け金物１０１は、接合しようとする梁１０２の側面に当接される２つの鉛直板部１０１ａ，１０１ｂと、梁１０２の底面に当接される水平板部１０１ｃとが取り付け部１０１ｄから張り出すように設けられている。そして、この梁受け金物１０１が他の梁１０３又は柱に固定され、これらの梁１０３又は柱に接合しようとする梁１０２は上方から２つの鉛直板部１０１ａ，１０１ｂの間に落とし込まれ、水平板部１０１ｃの上に支持されるものとなっている。
【先行技術文献】
【特許文献】
【０００４】
【特許文献１】特開２０１１−１８４８５１号公報
【発明の概要】
【発明が解決しようとする課題】
【０００５】
特許文献１に記載されている接合構造では、接合する梁がＩ型の断面を有するものであると、厚さが薄いウエブから、このウエブを貫通する少数のピン又はボルトを介して梁受け金物に大きなせん断力が伝達されることになる。したがって、ピン又はボルトと接触する部分で薄いウエブに大きな力（支圧力）が作用し、ウエブに変形が生じる虞がある。
一方、図１３に示すような梁受け金物１０１を用いる接合構造では、接合しようとする梁１０２がＩ型断面であっても矩形断面の梁と同様に支持することができるが、梁受け金物１０１が梁１０２の側面及び底面に沿って露出することになり、外観を損なうことがある。また、梁１０２の支持端付近でウエブに大きな圧縮力が作用することになり、過度の変形や座屈を防止するために、ウエブに沿って桟木等を設ける等の補強が必要となる。
【０００６】
本発明は、上記のような事情に鑑みてなされたものであり、その目的は、Ｉ型の断面を有する木質梁の端部を他の構造部材に接合し、Ｉ型断面のウエブからせん断力を他の構造物に対して伝達することができる木質梁の接合構造を提供することである。
【課題を解決するための手段】
【０００７】
上記課題を解決するために、請求項１に係る発明は、  上フランジと、下フランジと、これらを上下に連結するウエブとを有する木質梁を、他の構造部材に接合する木質梁の接合構造であって、  前記ウエブの両側面に鋼からなる添設板が固定され、  該添設板が前記他の構造部材に接合されており、  前記ウエブの両側に固定された添設板の一方は、複数の貫通孔が設けられ、  ドリリング機能とタッピング機能とを有するネジが、前記貫通孔を通して前記ウエブ及び前記添設板の他方にねじ込まれ、貫通して双方の前記添設板が前記ウエブを挟み込むように固定されている木質梁の接合構造を提供する。
【０００８】
この接合構造では、添設板の一方に設けられた貫通孔からドリリング機能とタッピング機能とを有するネジを差し入れ、木質材料からなるウエブ及び添設板の他方を貫通させてこれらを固定することができる。つまり、ウエブ及び他方の添設板には、一方の添設板に設けられた貫通孔と対応する位置に予めねじ孔等を設けておく等の加工が必要なく、複数のネジを用いて添設板を容易にウエブに固定することができる。
Ｉ型の断面を有する梁では、せん断力は主にウエブに作用し、添設板を介して端部を支持すると、ウエブとこれに固定された添設板との間に大きなせん断力が生じる。これに対し、本発明の接合構造では、梁の接合端に生じるせん断力や梁の寸法等に応じてネジの本数を決定し、多数のネジを添設板がウエブに当接される範囲で分布するようにねじ込んで添設板を固定することが容易に可能となる。したがって、多数のネジに分散してせん断力が伝達され、薄い木質材料で形成されたウエブに対して局部的に大きな力（支圧力）が作用してウエブが変形するのを抑制することができる。
【０００９】
請求項２に係る発明は、請求項１に記載の木質梁の接合構造において、  前記添設板は、上縁及び下縁に沿って水平方向に張り出し部を備え、該張り出し部が前記上フランジ及び下フランジに当接されているものとする。
【００１０】
この接合構造では、添設板の上縁及び下縁に沿って設けられた張り出し部が上フランジ及び下フランジに当接され、添設板がウエブの側面に沿った方向に相対的に変位するのが抑えられる。これにより、添設板をウエブに固定するネジの負荷を軽減するとともに、複数のネジに作用する負荷に大きな差が生じるのを低減することが可能となる。
【００１１】
請求項３に係る発明は、請求項１又は請求項２に記載の木質梁の接合構造において、  前記ウエブは、所定幅の板材を前記木質梁の軸線方向に傾斜させ、該木質梁の軸線方向に所定の間隔を開けて複数を配列した第１群の板材と、該第１群の板材と同じ幅の板材を前記第１群の板材と反対方向に傾斜させ、該木質梁の軸線方向に所定の間隔を開けて複数を配列した第２群の板材とを、互いに重ね合わせるように接合して形成されており、  前記ネジは、前記第１群に含まれる板材と前記第２群に含まれる板材とが互いに重ね合わされた部分で双方の添接板及び前記ウエブを貫通するものとする。
【００１２】
ウエブが互いに反対方向に傾斜した板材群を重ね合わせて張り合わされたものであると、このような梁の長さを調整したときに、反対方向に傾斜する板材が重なり合った位置が梁の端面の位置に対して変動する。上記接合構造では、上記のように双方の板材が重なり合う位置が変動しても、添設板に配列して形成された貫通孔から板材が重なり合った位置を選択してネジを貫入することができ、ウエブの両側に取り付けられる双方の添設板をウエブに締め付けて強固に固定することができる。
なお、締め付けるネジは、全てを板材が重なり合った位置にねじ込む必要はないが、多くのネジを板材が重なり合った位置にねじ込み、その他のネジも重なり合った位置の近くにねじ込むのが望ましい。
【００１３】
請求項４に係る発明は、請求項１から請求項３までのいずれかに記載の木質梁の接合構造において、  前記添設板は、前記他の構造部材と接合される側の端縁より該木質梁の中央部側に、鉛直方向の折り曲げ線によって折り曲げられて前記ウエブの側方に張り出すように設けられた鉛直リブを有するものとする。
【００１４】
この接合構造では、ウエブの側方に張り出した鉛直リブによって、添設板がウエブに当接して接合されている領域で添設板の曲げ剛性を大きくすることができ、添設板の曲げ変形が抑えられる。また、この添設板をウエブに接合することによって薄い木質材料からなるウエブの端部における曲げ変形を低減することができる。
【００１５】
請求項５に係る発明は、請求項１から請求項４までのいずれかに記載の木質梁の接合構造において、  前記添設板は、該ウエブの端縁より前記木質梁の軸線方向に張り出しており、  張り出した部分が、前記他の構造部材であって木質材料からなる上下のフランジとウエブとを有する被接合梁の側面に沿った方向に折り曲げられ、  該添設板の折り曲げた部分にも貫通孔が設けられ、  前記被接合梁の木質材料からなるウエブの側面に前記添設板の折り曲げた部分が当接され、  該被接合梁の前記ウエブの背面側に鋼板材を当接し、ドリリング機能及びタッピング機能を有するネジを、前記貫通孔から前記被接合梁のウエブ及び前記鋼板材にねじ込んで、前記添設板が前記被接合梁に固定されているものとする。
【００１６】
この接合構造では、梁が接合される他の構造部材もＩ型の木質材料からなる梁であるときに、木質梁のウエブからせん断力が他の木質梁のウエブに伝達されるように接合することができる。
【発明の効果】
【００１７】
以上説明したように、Ｉ型の断面を有する木質梁の端部を、大きなせん断力が作用するウエブで支持して他の構造部材に接合し、Ｉ型断面の梁のウエブからせん断力を他の構造部材に対して有効に伝達することが可能となる。
【図面の簡単な説明】
【００１８】
【図１】本発明の一実施形態である木質梁の接合構造を示す分解斜視図である。
【図２】図１に示す木質梁の接合構造の概略側面図、平面図及び梁の断面図である。
【図３】図１に示す木質梁の接合構造で用いることができる添設板の側面図である。
【図４】ドリリング機能及びタッピング機能を有するネジの一例を示す側面図、及びこのネジを用いて図３に示す添設板を木質梁のウエブに固定した状態を示す概略断面図である。
【図５】図１に示す木質梁の接合構造の平断面図である。
【図６】添設板の他の例及びこの添設板をＩ型断面の木質梁に取り付けた状態を示す概略斜視図である。
【図７】添設板の他の例を示す概略斜視図である。
【図８】本発明の他の実施形態である木質梁の接合構造を示す平断面図である。
【図９】本発明の他の実施形態である木質梁の接合構造を示す側面図及び平断面図である。
【図１０】本発明の他の実施形態である木質梁の接合構造を示す側面図及び平断面図である。
【図１１】本発明の他の実施形態である木質梁の接合構造を示す概略斜視図である。
【図１２】本発明の他の実施形態である木質梁の接合構造を示す概略斜視図である。
【図１３】従来の木質梁の接合構造を示す概略斜視図である。
【発明を実施するための形態】
【００１９】
以下、本発明の実施の形態を図に基づいて説明する。
図１は、本発明の一実施形態である木質梁の接合構造を示す概略斜視図である。また、図２はこの接合構造の側面図、平面図及び梁の断面図である。
この木質梁の接合構造は、木材からなる上下のフランジ１１，１２とこれらを上下に連結する木材のウエブ１３とを備えて断面がほぼＩ型となった梁１と他の構造部材である矩形断面の梁２とを接合するものである。Ｉ型断面の梁１は、その端面を木材からなる矩形断面の梁２の側面に対向させて接合する。これらの梁１，２の接合は、矩形断面の梁２の側面に梁受け金具４が固定されるとともに、Ｉ型断面の梁１の端部は、ウエブ１３の両側面に添設板３ａ，３ｂ（添設板３ｂは図示しない）が固定され、この添設板３ａ，３ｂを梁受け金具４に接合するものとなっている。
【００２０】
上記Ｉ型断面の梁１が備える上下のフランジ１１，１２には、無垢の木材又は複数枚の木材の薄板を貼り合わせて形成された積層材（ＬＶＬ：Laminated Veneer Lumber）等を用いることができる。上記積層材は、木材を所定の厚さ、例えば２ｍｍ〜４ｍｍに切削した単板の木目の方向をほぼ平行にして積層し、互いに接着したものである。また、上記ウェブ１３は、梁１の軸線方向の鉛直面に沿って配列された複数の小幅板材１４によって形成されており、上記上フランジ１１と上記下フランジ１２とが一体として挙動するように上下に連結するものである。小幅板材１４は木材を所定幅の板状に形成したものであり、所定幅となった面を上記鉛直面と平行にするとともに、側面視においてこの小幅板材１４の軸線が梁１の軸線に対してほぼ４５°となるように傾斜して配置されている。これらの小幅板材１４は、軸線の傾斜方向が互いに逆となった第１群の小幅板材１４ａと第２群の小幅板材１４ｂとを含み、それぞれが梁１の軸線方向に所定の間隔をあけて配列されている。そして、これらが重ね合わされて、貼り合わされたものである。重ね合わされた小幅板材１４ａ，１４ｂは、接着剤よって互いに張り合わされるものの他、釘、ボルト、ピン等を用いて接合するものであっても良い。
【００２１】
上記小幅板材１４は、該小幅板材の軸線方向に木目の方向がほぼ一致するように形成されており、幅は３０ｍｍ〜８０ｍｍ程度、厚さは５ｍｍ〜１５ｍｍ程度とすることが望ましい。そして、梁１の軸線方向に、該小幅板材１４の中心軸線が６０ｍｍ〜２５０ｍｍ程度の間隔で配列されている。
【００２２】
上記小幅板材１４は、予め第１群の小幅板材１４ａと第２群の小幅板材１４ｂとを互いに貼り合わせてパネル状に組み立てた後、上フランジ１１及び下フランジ１２と接合されたものである。接合は、上フランジ１１の下面及び下フランジ１２の上面に軸線方向の溝を形成し、この溝にパネル状となった小幅板材１４の上端部又は下端部を押し入れて接着剤等によって固着したものである。また、小幅板材と上下のフランジとの接合構造の他の例として、上フランジ及び下フランジを構成する木材を、二つに分割されて軸線方向へ平行に配置されたものとし、それぞれをパネル状となった小幅板材群の上端部及び下端部を挟み込むように接合するものであってもよい。
【００２３】
上記梁受け金具４は、鋼の板材で形成されており、図１及び図５に示すように、矩形断面の梁２の側面に当接して固定される基部４ａと、この基部４ａの鉛直方向の側縁からほぼ直角方向に折り曲げられ、梁１の軸線方向に突き出した鉛直板部４ｂとを備えている。基部４ａにはボルト５を挿通する複数の孔が設けられており、これらの孔に挿通されて矩形断面の梁２を貫通するボルト５によって、この梁受け金具４が矩形断面の梁２に固定される。また、鉛直板部４ｂには複数のボルト孔４ｃが設けられており、このボルト孔４ｃに挿通されるボルト６とナット７によって添設板３と接合されるものである。
【００２４】
ウエブ１３の両側に取り付けられる添設板３ａ，３ｂは、いずれも矩形の鋼板材で形成されたものであり、これらの添設板の一方３ａは、図３に示すように複数の貫通孔３１が板面に分布するように配列して形成されている。また、梁受け金具４と接合される端縁付近にはボルト６を挿通するボルト孔３２が設けられている。また、添設板の他方３ｂは、ウエブ１３と当接させる領域に貫通孔等が設けられていない平坦な鋼板材であり、梁受け金具４と接合される端縁付近にはボルト６を挿通するボルト孔が設けられている。これらの添設板３ａ，３ｂは、接合しようとするＩ型断面の梁１の端部付近で、上フランジ１１の下面付近から下フランジ１２の上面付近までの範囲でウエブ１３に当接するように固定される。
なお、上記添設板３ａ，３ｂは、厚さが０．５ｍｍ〜１．５ｍｍ程度の鋼板材を加工して用いるのが望ましい。
【００２５】
上記添設板３ａ，３ｂを木質材料からなるウエブ１３に固定するには、図４に示すようなドリリング機能とタッピング機能とを有するネジ（以下、ドリリングタッピングネジ）３０が用いられる。
図４（ａ）は、ドリリングタッピングネジの一例を示す側面図である。
このドリリングタッピングネジ３０は先端に切削刃３０ａを備えており、ドリリング機能を有するものである。つまり、木材及び金属を切削して貫入又は貫通することができ、厚さが１．５ｍｍ程度以下の鋼板材であれば、貫通孔を形成することができるものとなっている。このネジの頭部３０ｂから所定の範囲には雄ねじ３０ｃが形成されており、この雄ねじ部分の先端側はタッピング機能を有する。つまり、上記切削刃３０ａによって鋼板材に形成した貫通孔の内周面に雌ねじを切削することができるものとなっている。
【００２６】
上記のようなドリリングタッピングネジ３０を用いて添設板３ａ，３ｂは木質材料からなるウエブ１３に、次のように固定することができる。
ウエブの両側に添設板３ａ，３ｂを当接し、一方の添設板３ａに設けられた貫通孔３１からドリリングタッピングネジ３０を差し入れ、回転させて小幅板材１４からなるウエブ１３に貫入する。そして、ウエブ１３の反対側に当接された他方の添設板３ｂに突き当て、さらに回転して他方の添設板３ｂを貫通させる。このドリリングタッピングネジ３０は先端付近には螺条が設けられておらず、先端の切削刃３０ａが他方の添設板３ｂに突き当てられたときに雄ねじ３０ｃは木質材料からなるウエブ１３にねじ込まれていない。したがって、先端の切削刃３０ａを他方の添設板３ｂに突き当てて回転させるときに、ウエブ１３からドリリングタッピングネジ３０に推進力が作用することはなく、他方の添設板３ｂをウエブ１３に押し付けた状態でドリリングタッピングネジ３０を回転させることができる。そして、先端部が他方の添設板３ｂを貫通した後、雄ねじ３０ｃが形成された部分がウエブ１３にねじ込まれ、さらに他方の添設板３ｂに形成された貫通孔に雌ねじを切削しながらねじ込まれる。このようにタッピング機能を有するドリリングタッピングネジ３０をねじ込んで、図４（ｂ）に示すように頭部３０ｂが一方の添設板３ａに係止されるまで貫入することにより、２つの添設板３ａ，３ｂが木質材料からなるウエブ１３を両側から挟み付けるように固定される。
【００２７】
上記のようにねじ込まれるドリリングタッピングネジ３０は、接合する梁１に作用するせん断力の値等に応じて必要な本数が決定され、添設板３ａ，３ｂのウエブ１３に当接された範囲に分布するようにねじ込まれる。ねじ込む位置は、図２（ａ）に示すように、互いに反対方向に傾斜した第１群に含まれる小幅板材と第２群に含まれる小幅板材とが重ね合わされた位置とするのが望ましい。必要な本数のドリリングタッピングネジの全てを、第１群に含まれる小幅板材と第２群に含まれる小幅板材とが重ね合わされた位置でねじ込むことができないときには、双方が重ね合わされた位置の近くで一方の小幅板材を貫通するようにねじ込むものであってもよい。
【００２８】
上記添設板３ａ，３ｂは、図５に示すように、ボルト孔３２が設けられた端縁付近がＩ型断面の梁１の端面より突き出すように固定され、突き出した部分が矩形断面の梁２に固定された梁受け金具４に接合される。添設板３ａ，３ｂの突き出した部分は、矩形断面の梁２に固定された梁受け金具４の鉛直板部４ｂに重ね合わされ、鉛直板部４ｂに設けられたボルト孔４ｃ及び添設板のボルト孔３２に挿通したボルト６とこれに螺合したナット７とによって接合される。これによってＩ型断面の梁１に作用するせん断力は添設板３ａ，３ｂ、ボルト６及び梁受け金具４を介して矩形断面の梁２に伝達される。
なお、梁受け金具４の二つの鉛直板部間にはボルト６が挿通される短い鋼円筒部材８を介挿するのが望ましい。これにより、二つの添設板３ａ，３ｂと二つの鉛直板部４ｂとをボルト６によって締めつけ、添設板３ａ，３ｂと梁受け金具４とをしっかりと固定することができる。
【００２９】
図６は、Ｉ型断面の木質材料からなる梁１を他の構造部材に接合するときに、図３に示す添設板３に代えて用いることができる添設板の他の例を示す概略斜視図及びこの添設板４０をＩ型断面の梁１に取り付けた状態を示す概略斜視図である。
この添設板４０は、図３に示す添設板３と同様に鋼板材で形成され、Ｉ型断面の梁１のウエブ１３に当接される板面に複数の貫通孔４１が設けられている。また、他の構造部材に固定された梁受け金具（図示しない）と接合される端縁付近にはボルト孔４２が形成されている。
この添設板４０のウエブ１３に当接される部分の上縁及び下縁には、図６（ａ）に示すように、ウエブ１３に当接される部分と連続してＩ型断面の梁１の側方へほぼ水平に折り曲げられた張り出し部４３を備えている。これらの張り出し部４３は、図６（ｂ）に示すように、Ｉ型断面の梁１に取り付けられたときに、上フランジ１１の下面及び下フランジ１２の上面に当接され、ビス４４によって上フランジ１１及び下フランジ１２に固定されるものとなっている。
【００３０】
一方、ウエブ１３の上記添設板が当接された面の背面側の面には、他方の添設板（図示しない）が当接される。この背面側の添設板は、鋼板材を図６示す添設板と同じ形状に曲げ加工されて上下に張り出し部を有し、梁受け金具４と接合するためのボルト孔が設けられたものであるが、ウエブ１３と当接される面に貫通孔は設けられておらず、平坦な面となっている。
【００３１】
このような添設板４０と背面側の添設板とをウエブの両側に当接し、図３に示す添設板３と同様にドリリングタッピングネジ３０を用いてＩ型断面の梁１のウエブ１３に固定することができる。そして、添設板４０と背面側の添設板との張り出し部４３が上フランジ１１及び下フランジ１２に固定されることにより、添設板４０及び背面側の添設板が梁１に強固に固定される。このように添設板４０及び背面側の添設板が固定されていると、ウエブ１３との間に大きなせん断力が作用したときに、張り出し部４３と上下のフランジ１１，１２との相互間で上下方向の力の伝達が生じる。したがって、Ｉ型断面の梁１から添設板４０及び背面側の添設板に作用するせん断力の一部が両フランジ１１，１２を介して伝達され、ウエブを貫通するドリリングタッピングネジ３０の負荷が軽減される。また、添設板４０及び背面側の添設板がＩ型断面の梁１に対して上下方向に変位するのが拘束され、ウエブ１３の側面に沿って回転するような変位も拘束される。したがって、分布して貫入されたドリリングタッピングネジ３０のそれぞれに作用する力に大きな差が生じるのを抑えることができる。
【００３２】
図６に示す添設板４０は、ウエブ１３に当接される部分の上縁と下縁からほぼ水平に張り出した張り出し部４１をビスによって上フランジ１１及び下フランジ１２に固定するものであるが、張り出し部を上下のフランジに固定するのに他の手段を用いるものであってもよい。例えば、上下の張り出し部４１に上下のフランジに貫入することができる爪状部を設けておき、添設板を所定の位置に支持して爪状部を上下のフランジに貫入することによって張り出し部を固定するものであってもよい。
【００３３】
図７に示す添設板６０，６４は、鉛直方向の曲げに対して剛性を増大する鉛直リブ６２，６３，６６が設けられたものである。この添設板６０，６４は、図３に示す添設板３と同様に、Ｉ型断面の木質材料からなる梁１のウエブ１３と当接される面に貫通孔６１，６５が設けられている。そして、この添設板６０，６４とウエブ１３の背面側に当接された貫通孔が形成されていない添設板とをドリリングタッピングネジ３０で締め付けてウエブ１３に固定するものである。
図７（ａ）に示す添設板６０では、他の構造部材と接合する先端付近及び後方端付近にほぼ鉛直方向の折り曲げ線を設け、該添設板６０を構成する鋼板材を側方に折り曲げて鉛直リブ６２，６３としたものである。これにより先端付近及び後方端付近で添設板６０の鉛直方向の曲げ剛性が増大し、Ｉ型断面の梁１のウエブ１３に取り付けられたときに部材厚が薄いウエブ１３を、鉛直方向の曲げに対して強化することができる。したがって、大きなせん断力、ねじりモーメント、水平方向の力等によって梁の端部付近で断面の変形が生じるのを抑制することができる。
なお、上記先端付近及び後方端付近の鉛直リブ６２，６３はいずれか一方を設けるものであってもよい。
【００３４】
図７（ｂ）に示す添設板６４は、先端から後方端まで連続する鋼板材の中間部分に鉛直リブ６６を設けたものである。この鉛直リブ６６は、鋼板材を鉛直方向の折り曲げ線で折り曲げ、平断面の形状がＵ字状、Ｖ字状、鋼板材が重なり合ったＩ字状又は矩形状となるように側方に張り出したものである。そして、鉛直リブ６６の先端側及び後方側の双方に貫通孔６５が設けられ、双方がウエブに固定される。このような鉛直リブ６６を設けることにより、添設板６４の先端から後方端までの間で大きな曲げ剛性を有する添設板となる。
【００３５】
図８は、本発明に係る木質梁の接合構造の他の実施形態を示す概略平面図である。
この接合構造では、添設板７０ａ及びウエブ１３の背面側に当接される添設板７０ｂの梁１の端面から突き出した部分が、平面視における梁１の中心線側に曲げられ、梁受け金具７１と接合される先端部７０ｃは、中心線とほぼ平行となるように加工されている。一方、梁受け金具７１は、他の構造物である矩形断面の梁２の側面に複数のビス７２によって基部７１ａが固定されたものであり、Ｉ型断面の梁１の軸線方向に突き出した一つの鉛直板部７１ｂを備えている。そして添設板７０の先端部７０ｃが上記梁受け金具の鉛直板部７１ａの両側に重ね合わされ、ボルト７３とナット７４で締め付けて固定されている。
【００３６】
図９は、本発明に係る木質梁の接合構造の他の実施形態を示す概略側面図及び平断面図であり、この接合構造では、木質材料からなる梁１の上下のフランジ１１，１２の端面が他の構造部材である矩形断面の梁２の側面に当接して接合されている。
添設板８０は、図１及び図２に示す接合構造で用いられたものと同じものが用いられており、貫通孔を有する添設板８０ａと貫通孔が設けられていない添設板８０ｂとがタッピングビス３０によってウエブ１３の両面に固定されている。このとき、添設板８０ａ，８０ｂの矩形断面の梁に接合される側の先端８０ｃは、Ｉ型断面の梁１の先端面より後退した位置となっている。また、ウエブ１３の先端部は、矩形断面の梁２に固定された梁受け金具８１及びこれを固定するボルト８２と干渉しないように、上下のフランジ１１，１２の端面より後退するように切り欠かれている。梁受け金具８１は、矩形断面の梁２の側面に固定される基部８１ａと基部の両側縁から突き出した鉛直板部８１ｂとを有するものであり、二つの鉛直板部８１ｂの間に添設板８０が取り付けられたウエブ１３を挟み込み、添設板８０及びウエブ１３に設けられた貫通孔に挿通されたボルト８３とナット８４によって締め付け、固定されている。
このような接合構造では、添設板８０の先端付近までをウエブ１３に当接させ、これらが重ね合わされた部分を梁受け金具８１に接合することができる。したがって、水平方向の変位が生じ難い構造となる。
【００３７】
図１０は、本発明に係る木質梁の接合構造の他の実施形態を示す概略側面図及び平断面図であり、この接合構造では、矩形断面の梁２の側面に上下方向の溝状の切り欠き２ａが形成され、Ｉ型断面の梁１は、上下のフランジ１１，１２を上記切り欠き内に突き入れた状態で接合されている。
上下のフランジ１１，１２の先端部における側面は、矩形断面の梁２に設けられた切り欠き２ａの内面に当接するものとなっており、上下のフランジ１１，１２の横方向つまりＩ型断面の梁１の軸線と直角で水平となる方向への変位が矩形断面の梁２によって拘束される。また、上下のフランジ１１，１２の先端面は溝状の切り欠き２ａ内で矩形断面の梁２に突き当てられていてもよいし、間隔を開けて接合されるものであってもよい。添設板８０は図１３に示す接合構造と同じように取り付けられ、梁受け金具８１も同じものを用いて切り欠き２ａ内の底部に同様に接合されている。
このような接合構造では、Ｉ型断面の梁１の上下のフランジ１１，１２が矩形断面の梁２によって横方向へ変位するのが拘束されるので、Ｉ型断面の梁１の端部が矩形断面の梁２に対して水平方向の変位又はねじるように回転方向の変位が生じるのを抑えることができる。
【００３８】
図１１は、本発明の他の実施形態である木質梁の接合構造を示す概略斜視図である。
この接合構造は、添設板９０を用いてＩ型断面の梁１を矩形断面の梁２の側面に突き当てるように接合するものである。
添設板９０は、図３に示す添設板３と同様に、Ｉ型断面の梁１のウエブ１３に当接される部分に複数の貫通孔を備えるものであり、この貫通孔からウエブ１３及び背面側の添設板（図示しない）に貫通させたドリリングタッピングネジによって双方の添設板を締め付けて木質材料からなるウエブ１３に固定されている。この添設板９０の矩形断面の梁２と接合される部分は、鉛直方向の折り曲げ線によってほぼ直角に折り曲げられ、折り曲げられた部分９０ａは、上下のフランジ１１，１２を矩形断面の梁２の側面に突き当てたときに、矩形断面の梁２の側面に当接されるものとなっている。そして、この折り曲げられた部分９０ａに設けられた複数のビス孔から矩形断面の梁２にビスがねじ込まれ、添設板９０が矩形断面の梁２に接合されるものである。なお、添設板９０の折り曲げられた部分９０ａにボルト孔を設け、矩形断面の梁２を横方向に貫通するボルトとナットによって固定するものであってもよい。
【００３９】
図１２は、本発明の他の実施形態である木質梁の接合構造を示す概略斜視図であって、  木質材料からなるＩ型断面の第１の梁９の端部を他のＩ型断面の梁である第２の梁１０の側部に突き当てるように接合するものである。
この接合構造で用いられる添設板９１は、水平方向の中間部で鉛直方向の折り曲げ線９１ｃによってほぼ直角に折り曲げられたものであり、折り曲げ線９１ｃの両側がそれぞれＩ型断面の梁９，１０に固定される二つの取り付け部９１ａ，９１ｂとなっている。そして、それぞれの取り付け部９１ａ，９１ｂには複数の貫通孔が配列して設けられている。上記折り曲げ線９１ｃで分割された一方の取り付け部９１ａは、第１の梁９の端部でウエブ９ｃに当接され、貫通孔からウエブ９ｃ及び背面側の添設板に貫入したドリリングタッピングネジ３０によって添設板９１と背面側の添設板（図示しない）とを締め付けて固定されている。このとき、折り曲げ線９１ｃは第１の梁９の端面より軸線方向に突き出した位置にある。この突き出した部分を第２の梁１０の上フランジ１０ａと下フランジ１０ｂの間に差し入れ、第１の梁９の上下のフランジ９ａ，９ｂを第２の梁１０の上下のフランジ１０ａ，１０ｂの側面に突き当てたときに添設板９１の折り曲げ線で分割された他方の取り付け部９１ｂが第２の梁１０のウエブ１０ｃに当接されるものとなっている。そして、当接された取り付け部９１ｂに形成されている貫通孔から第２の梁のウエブ１０ｃ及びこのウエブの背面側に当接された添設板に貫通させたドリリングタッピングネジによって双方の添設板を締め付け、ウエブ１０ｃに固定するものとなっている。このように固定された添設板９１によってＩ型断面の第１の梁９の端部を他のＩ型断面の梁１０の側面に突き当ててせん断力が伝達されるように接合することができ、第２の梁１０によって第１の梁９の端部を支持することができる。
【００４０】
なお、本発明は以上に説明した実施の形態に限定されるものではなく、本発明の範囲内において、梁の形状、寸法等、添設板の形状、寸法、タッピングビスの径等を適宜に変更して実施することができる。
例えば梁のウエブは、上記実施の形態ではいずれも複数の傾斜した小幅板材が間隔を開けて配列されたものであるが、梁の軸線方向に連続する合板又は無垢の板材を用いてもよい。
Ｉ型断面の梁の端部が接合される他の構造部材は、上記実施の形態ではいずれも木質材料からなる梁であったが、梁に限定されるものではなく柱や壁体等であってもよい。また、他の構造部材は木質材料からなるものに限定されず、鋼部材やコンクリート部材であってもよい。さらに、添設板を他の構造部材に接合する構造も、梁受け金具を用いるものや、ビス又はボルトを用いるものに限定されず、適宜に設計することができる。
【符号の説明】
【００４１】
１：木質材料からなるＩ型断面の梁，  ２：木質材料からなる矩形断面の梁，  ３：添設板，  ３ａ：貫通孔が設けられた添設板，  ３ｂ：貫通孔が設けられていない添設板，  ４：梁受け金具，  ４ａ：基部，  ４ｂ：鉛直板部，  ４ｃ：ボルト孔，  ５：ボルト，  ６：ボルト，  ７：ナット，  ８：鋼円筒部材，  ９：Ｉ型断面の第１の梁，  １０：Ｉ型断面の第２の梁，
１１：上フランジ，  １２：下フランジ，  １３：ウエブ，  １４：小幅板材，
３０：ドリリング機能とタッピング機能とを有するネジ（ドリリングタッピングネジ），
４０：添設板，  ４１：貫通孔，  ４２：ボルト孔，  ４３：張り出し部，  ４４：ビス，
６０：添設板，  ６１：貫通孔，  ６２，６３：鉛直リブ，  ６４：添設板，  ６５：貫通孔，  ６６：鉛直リブ，
７０：添設板，  ７０ａ：貫通孔が設けられた添設板，  ７０ｂ：貫通孔が設けられていない添設板，  ７１：梁受け金具，  ７１ａ：梁受け金具の基部，  ７１ｂ：梁受け金具の鉛直板部，  ７２：ビス，  ７３：ボルト，  ７４：ナット，
８０：添設板，  ８０ａ：貫通孔が設けられた添設板，  ８０ｂ：貫通孔が設けられていない添設板，  ８１：梁受け金具，  ８１ａ：梁受け金具の基部，  ８１ｂ：梁受け金具の鉛直板部，  ８２：ボルト，  ８３：ボルト，  ８４：ナット，
９０，９１：添設板，  ９１ａ，９１ｂ：添設板の取り付け部，  ９１ｃ：添設板の折り曲げ線
【図１】
2015168963.tif 000003
【図２】
2015168963.tif 000004
【図３】
2015168963.tif 000005
【図４】
2015168963.tif 000006
【図５】
2015168963.tif 000007
【図６】
2015168963.tif 000008
【図７】
2015168963.tif 000009
【図８】
2015168963.tif 000010
【図９】
2015168963.tif 000011
【図１０】
2015168963.tif 000012
【図１１】
2015168963.tif 000013
【図１２】
2015168963.tif 000014
【図１３】
2015168963.tif 000015